(57)【要約】【課題】特に、背上げ機能付きの介護用ベッドに使用されるマットレスにおいて、簡易な構造で、背上げ動作時の被介護者等のマットレス上方への引き上げを自動的に行い、被介護者等の苦痛を軽減させ、また、背下げ動作時の被介護者等のマットレス下方への引き下げを自動的に行い、被介護者等の苦痛を軽減させるマットレスを提供すること。【解決手段】カバー部材２０に覆われるとともに、ベッドに載置させて使用するマットレス１０を使用者の腰部に対応する部位１２近傍から、頭部側の上端部１４にかけてのうちの範囲にマットレスの側断面視ループ状にシート部材１６が巻回されている構成とした。【選択図】図１
2014226269.tif 000002
【特許請求の範囲】
【請求項１】
カバー部材に覆われるとともに、背上げ機能付きベッドに載置させて使用するマットレスにおいて、当該マットレスの使用者の腰部に対応する部位近傍から、頭部側の上端部にかけてのうちの範囲に、前記マットレスの側断面視ループ状にシート部材が巻回されていることを特徴とするマットレス。
【請求項２】
カバー部材に覆われるとともに、背上げ機能付きベッドに載置させて使用する細長い袋状のエアセルを前記ベッドの長手方向と直交する向きに寝かせた状態で前記ベッドの長手方向に沿って複数本並設してなるエアセル群を含むマットレスにおいて、当該マットレスの使用者の腰部に対応する部位近傍から、頭部側の上端部にかけてのうちの範囲における前記各エアセルに、それぞれ前記マットレスの側断面視ループ状にシート部材が巻回されていることを特徴とするマットレス。
【発明の詳細な説明】
【技術分野】
【０００１】
本発明は、被介護者等が長期に渡って床に伏せる場合などに生じる床ずれを予防する背上げ機能付き介護用ベッドに載せるマットレスに関するもので、特に、背上げ動作時における被介護者等のマットレス上方への引き上げ、背下げ動作時における被介護者等のマットレス下方への引き下げを自動的に行えるマットレスに関するものである。
【背景技術】
【０００２】
背上げ機能付きベッドにより、背上げ動作を行うと、ベッドに載置されているマットレスは、横臥する被介護者等の背部を押圧しながら屈曲することになる。そのため、被介護者等の上半身が押し縮められ、結果、腹部が圧迫されることによる苦痛を感じてしまうことになる。また、背下げ動作を行うと、逆に、被介護者等の上半身が引き延ばされるため、やはり、苦痛を感じてしまうことになる。
【０００３】
この問題に対応するための技術として、例えば、特許文献１には、矩形状のベッドフレ−ムにマットレスを載置するための床板体が設けられ、この床板体の一部が起伏自在な背床部に形成された起床式ベッド装置において、上記背床部を起伏駆動する駆動手段と、上記背床部の上記駆動手段によって起伏されるときの基端側となる一端部に設けられたスライド体と、上記ベッドフレ−ムに長手方向に沿って設けられ上記スライド体がスライド自在に支持されるガイド部と、一端が上記背床部の一端部に枢着され他端が上記ベッドフレ−ムに枢着されて設けられ上記駆動手段によって上記背床部を起伏させたときに上記スライド体を上記ガイド部に沿ってスライドさせるための連結リンクとを具備したことを特徴とする起床式ベッド装置が開示されている。
【０００４】
そして、この技術によれば、背床部を起立させると、この背床部は基端側が後方へスライドする。そのため、背床部を起立させることで発生する利用者の背面を押圧する押圧力が低減されるから、その押圧力の低減にともない利用者の背面に作用する圧縮力も低減されることになるとされている。
【先行技術文献】
【特許文献】
【０００５】
【特許文献１】特許第３０１２７８１号公報
【発明の概要】
【発明が解決しようとする課題】
【０００６】
しかしながら、特許文献１に開示されている起床式ベッド装置のように、ベッドの背上げ機構を改良しての対策では、特殊なベッドが必要となり、一般的な介護用ベッド等には、利用できないという問題がある。また、生産や運用のコストも高くなってしまうため、より簡易な構造での対策が望まれてきている。
【０００７】
本発明は、上述の問題を解決するためのもので、特に、背上げ機能付きの介護用ベッドに使用されるマットレスにおいて、簡易な構造で、背上げ動作時の被介護者等のマットレス上方への引き上げを自動的に行い、被介護者等の苦痛を軽減させ、また、背下げ動作時の被介護者等のマットレス下方への引き下げを自動的に行い、被介護者等の苦痛を軽減させるマットレスを提供することを目的としている。
【課題を解決するための手段】
【０００８】
上述の課題に対応するため、本発明は、以下の技術的手段を講じている。
即ち、請求項１記載の発明は、カバー部材に覆われるとともに、背上げ機能付きベッドに載置させて使用するマットレスにおいて、当該マットレスの使用者の腰部に対応する部位近傍から、頭部側の上端部にかけてのうちの範囲に、前記マットレスの側断面視ループ状にシート部材が巻回されていることを特徴とするマットレスである。
【０００９】
また、請求項２記載の発明は、カバー部材に覆われるとともに、背上げ機能付きベッドに載置させて使用する細長い袋状のエアセルを前記ベッドの長手方向と直交する向きに寝かせた状態で前記ベッドの長手方向に沿って複数本並設してなるエアセル群を含むマットレスにおいて、当該マットレスの使用者の腰部に対応する部位近傍から、頭部側の上端部にかけてのうちの範囲における前記各エアセルに、それぞれ前記マットレスの側断面視ループ状にシート部材が巻回されていることを特徴とするマットレスである。
【発明の効果】
【００１０】
本発明によると、背上げ時に、マットレスの所定範囲を側断面視ループ状に巻回するシート部材が、追加の動力を一切使わずして、使用者（被介護者等）の腰部から上の部位を自動的に上方へ引き上げるといった作用が働くため、また、逆に、背下げ時には、シート部材が、追加の動力を一切使わずして、使用者（被介護者等）の腰部から上の部位を自動的に下方へ引き下げるといった作用が働くため、使用者（被介護者等）の背上げ時における下方へ押しつけられるような苦痛及び背下げ時における上方へ引き延ばされるような苦痛を軽減させることができるとともに、介護負担の軽減に繋がる。また、製造や運用コスト面においても大幅な削減が見込まれる。
【図面の簡単な説明】
【００１１】
【図１】本発明に係るマットレスの第１の実施形態を示した図で、（ａ）は右側面側からの斜視図、（ｂ）はＡ−Ａ断面図、（ｃ）は底面図である。
【図２】本発明に係るマットレスの第２の実施形態を示した図で、（ａ）は斜視図、（ｂ）はＢ−Ｂ断面図である。
【図３】本発明に係るマットレスの第３の実施形態を示した図で、（ａ）は斜視図、（ｂ）はＣ−Ｃ断面図である。
【発明を実施するための形態】
【００１２】
本発明に係るマットレスの第１の実施形態について図面を参照しながら説明する。
図１は、本発明に係るマットレスの第１の実施形態を示した図で、（ａ）は右側面側からの斜視図、（ｂ）はＡ−Ａ断面図、（ｃ）は底面図である。符号については、１０はマットレス、１２は腰部に対応する部位、１４は上端部、１６はシート部材、２０は外カバーを示している。
【００１３】
本実施形態におけるマットレス１０は、外カバー２０に覆われるとともに、背上げ機能付きベッドの上に載置して使用するもので、図１（ａ）に示すように、マットレス１０の使用者の腰部に対応する部位１２から、頭部側の上端部１４にかけてのうちの範囲をシート部材１６によりマットレス１０の表面から裏面にかけてループ状に閉じた状態で巻回させる構成となっている。なお、シート部材１６の範囲は、本実施形態に限定されるものではない。
【００１４】
詳しくは、図１（ｂ）に示すように、シート部材１６は、マットレス１０の所定範囲をマットレス１０の側断面視ループ状に巻回し、閉じるように構成されている。マットレス１０の使用者の腰部に対応する部位１２においては、特に、図１（ｃ）に示すように、表面から裏面にかけてスリットが形成されていて、そのスリットをシート部材１６が通過するようになっている。
【００１５】
ここで、シート部材１６の仕組み及び効果について説明する。まず、背上げ機能付きベッドの背上げ動作により、その上に載置されたマットレス１０が屈曲し始めると、マットレス１０を覆う外カバー２０（図１（ｂ）において点線にて表示）のうち、マットレス１０の裏面側が、背上げ動作をする背ボトム（図示せず）により引き下げられ、マットレス１０のボトム側（矢印αの方向）へと下がろうとする。
【００１６】
そうすると、外カバー２０の下げる方向への力が、シート部材１６のうち、マットレス１０の裏面側に作用し、シート部材１６の裏面側は、マットレス１０のボトム側（矢印αの方向）へと下がろうとする。ここで、シート部材１６は、マットレス１０の側断面視ループ状に巻回してなるものであるため、シート部材１６の裏面側のマットレス１０の下がる動作は、シート部材１６の表面側のマットレス１０の上端部１４方向（矢印βの方向）への上がる動作に繋がることになる。
【００１７】
そのシート部材１６の表面側のマットレス１０の上端部１４方向への上がる動作が、外カバー２０のうち、マットレス１０の表面側を引き上げ、その結果、マットレス１０に横臥する者の背部から上の部位の引き上げ（矢印βの方向）の効果を奏することになるわけである。
【００１８】
続いて、背上げ機能付きベッドの背下げ動作により、その上に載置されたマットレス１０が伸展し始めると、マットレス１０を覆う外カバー２０（図１（ｂ）において点線にて表示）のうち、マットレス１０の裏面側が、背下げ動作をする背ボトム（図示せず）により引き上げられ、マットレス１０のトップ側（矢印αの逆方向）へと上がろうとする。
【００１９】
そうすると、外カバー２０の上がる方向への力が、シート部材１６のうち、マットレス１０の裏面側に作用し、シート部材１６の裏面側は、マットレス１０のトップ側（矢印αの逆方向）へと上がろうとする。ここで、シート部材１６は、マットレス１０の側断面視ループ状に巻回してなるものであるため、シート部材１６の裏面側のマットレス１０の上がる動作は、シート部材１６の表面側のマットレス１０のボトム側方向（矢印βの逆方向）への下がる動作に繋がることになる。
【００２０】
そのシート部材１６の表面側のマットレス１０のボトム側方向への下がる動作が、外カバー２０のうち、マットレス１０の表面側を引き下げ、その結果、マットレス１０に横臥する者の背部から上の部位の引き下げ（矢印βの逆方向）の効果を奏することになるわけである。
【００２１】
なお、本実施形態では、シート部材１６は、腰部に対応する部位１２から上端部１４にかけてなっているが、腰部に対応する部位１２から上端部１４に向けた範囲であれば、どの位置でも構わない。また、図におけるシート部材１６の左右の範囲は、本発明を限定するものではない。
【００２２】
続いて、本発明に係るマットレスの第２の実施形態について図面を参照しながら説明する。
図２は、本発明に係るマットレスの第２の実施形態を示した図で、（ａ）は斜視図、（ｂ）はＢ−Ｂ線断面図である。符号については、１８がエアセルである以外は、図１と同様である。
【００２３】
本実施形態におけるマットレス１０は、図２（ａ）に示すように、細長い袋状のエアセル１８をベッドの長手方向と直交する向きに寝かせた状態でベッドの長手方向に複数本並設されてなるマットレス１０に使用者の腰部に対応する部位１２から、頭部側の上端部１４にかけてのうち、所定範囲におけるエアセル１８をひとまとめにしてシート部材１６によりマットレス１０の表面から裏面にかけてループ状に閉じた状態で巻回させる構成となっている。
【００２４】
詳しくは、図２（ｂ）に示すように、シート部材１６は、マットレス１０の所定範囲を表面から裏面へと側断面視ループ状に巻回し、閉じるようになっている。マットレス１０の使用者の腰部に対応する部位１２においては、エアセル１８同士の隙間をシート部材１６が通過するようになっている。
【００２５】
ここで、シート部材１６の仕組み及び効果について説明する。まず、背上げ機能付きベッドの背上げ動作により、マットレス１０が屈曲し始めると、マットレス１０を覆う外カバー２０（図２（ｂ）において点線にて表示）のうち、マットレス１０の裏面側が、背上げ動作をする背ボトム（図示せず）により引き下げられ、マットレス１０のボトム側（矢印αの方向）へと下がろうとする。
【００２６】
そうすると、外カバー２０の下げる方向への力が、シート部材１６のうち、マットレス１０の裏面側に作用し、シート部材１６の裏面側は、マットレス１０のボトム側（矢印αの方向）へと下がろうとする。ここで、シート部材１６は、マットレス１０の表面から裏面にかけてループ状に巻回してなるものであるため、シート部材１６の裏面側のマットレス１０の下がる動作は、シート部材１６の表面側のマットレス１０の上端部１４方向（矢印βの方向）への上がる動作に繋がることになる。
【００２７】
そのシート部材１６の表面側のマットレス１０の上端部１４方向への上がる動作が、外カバー２０のうち、マットレス１０の表面側を引き上げ、その結果、マットレス１０に横臥する者の背部の引き上げ（矢印βの方向）の効果を奏することになるわけである。
【００２８】
続いて、背上げ機能付きベッドの背下げ動作により、マットレス１０が伸展し始めると、マットレス１０を覆う外カバー２０（図２（ｂ）において点線にて表示）のうち、マットレス１０の裏面側が、背下げ動作をする背ボトム（図示せず）により引き上げられ、マットレス１０のトップ側（矢印αの逆方向）へと上がろうとする。
【００２９】
そうすると、外カバー２０の上がる方向への力が、シート部材１６のうち、マットレス１０の裏面側に作用し、シート部材１６の裏面側は、マットレス１０のトップ側（矢印αの逆方向）へと上がろうとする。ここで、シート部材１６は、マットレス１０の表面から裏面にかけてループ状に巻回してなるものであるため、シート部材１６の裏面側のマットレス１０の上がる動作は、シート部材１６の表面側のマットレス１０のボトム側方向（矢印βの逆方向）への下がる動作に繋がることになる。
【００３０】
そのシート部材１６の表面側のマットレス１０のボトム側方向への下がる動作が、外カバー２０のうち、マットレス１０の表面側を引き下げ、その結果、マットレス１０に横臥する者の背部から上の部分の引き下げ（矢印βの逆方向）の効果を奏することになるわけである。
【００３１】
なお、本実施形態では、シート部材１６は、腰部に対応する部位１２から上端部１４にかけてなっているが、腰部に対応する部位１２から上端部１４に向けた範囲であれば、どの位置でも構わない。また、図におけるシート部材１６の左右の範囲は、本発明を限定するものではない。
【００３２】
続いて、本発明に係るマットレスの第３の実施形態について図面を参照しながら説明する。
図３は、本発明に係るマットレスの第３の実施形態を示した図で、（ａ）は斜視図、（ｂ）はＣ−Ｃ線断面図である。符号については、図２と同様である。
【００３３】
本実施形態におけるマットレス１０は、図３（ａ）に示すように、細長い袋状のエアセル１８をベッドの長手方向と直交する向きに寝かせた状態でベッドの長手方向に複数本並設されてなるマットレス１０に使用者の腰部に対応する部位１２から、頭部側の上端部１４にかけてのうち、所定範囲における各エアセル１８をそれぞれ、シート部材１６によりマットレス１０の表面から裏面にかけてループ状に閉じた状態で巻回させる構成となっている。
【００３４】
詳しくは、図３（ｂ）に示すように、シート部材１６は、マットレス１０の所定範囲を各エアセル１８それぞれを、表面から裏面へと側断面視ループ状に個別に巻回し、閉じるようになっている。なお、シート部材１６は、各エアセル１８同士の隙間をそれぞれ通過するようになっている。
【００３５】
ここで、シート部材１６の仕組み及び効果について説明する。まず、背上げ機能付きベッドの背上げ動作により、マットレス１０が屈曲し始めると、マットレス１０を覆うマットレス１０を覆う外カバー２０（図３（ｂ）において点線にて表示）のうち、マットレス１０の裏面側が、背上げ動作をする背ボトム（図示せず）により引き下げられ、マットレス１０のボトム側（矢印αの方向）へと下がろうとする。
【００３６】
そうすると、カバーの下げる方向への力が、シート部材１６のうち、マットレス１０の裏面側、つまり、各エアセル１８の裏面側に作用し、シート部材１６の裏面側は、それぞれマットレス１０のボトム側（矢印αの方向）へと下がろうとする。ここで、シート部材１６は、マットレス１０の表面から裏面にかけて各エアセル１８をループ状に巻回してなるものであるため、シート部材１６の裏面側のマットレス１０のボトム側への下がる動作は、シート部材１６の表面側それぞれのマットレス１０の上端部１４方向（矢印βの方向）への上がる動作に繋がることになる。
【００３７】
そのシート部材１６の表面側それぞれのマットレス１０の上端部１４方向への上がる動作が、外カバー２０のうち、マットレス１０の表面側を引き上げ、その結果、マットレス１０に横臥する者の背部から上の部位の引き上げ（矢印βの方向）の効果を奏することになるわけである。
【００３８】
続いて、背上げ機能付きベッドの背下げ動作により、マットレス１０が伸展し始めると、マットレス１０を覆うマットレス１０を覆う外カバー２０（図３（ｂ）において点線にて表示）のうち、マットレス１０の裏面側が、背下げ動作をする背ボトム（図示せず）により引き上げられ、マットレス１０のトップ側（矢印αの逆方向）へと上がろうとする。
【００３９】
そうすると、カバーの上がる方向への力が、シート部材１６のうち、マットレス１０の裏面側、つまり、各エアセル１８の裏面側に作用し、シート部材１６の裏面側は、それぞれマットレス１０のトップ側（矢印αの逆方向）へと上がろうとする。ここで、シート部材１６は、マットレス１０の表面から裏面にかけて各エアセル１８をループ状に巻回してなるものであるため、シート部材１６の裏面側のマットレス１０のトップ側への上がる動作は、シート部材１６の表面側それぞれのマットレス１０のボトム側方向（矢印βの逆方向）への下がる動作に繋がることになる。
【００４０】
そのシート部材１６の表面側それぞれのマットレス１０のボトム側方向への下がる動作が、外カバー２０のうち、マットレス１０の表面側を引き下げ、その結果、マットレス１０に横臥する者の背部から上の部位の引き下げ（矢印βの逆方向）の効果を奏することになるわけである。
【００４１】
なお、本実施形態では、シート部材１６は、腰部に対応する部位１２から上端部１４にかけてなっているが、腰部に対応する部位１２から上端部１４に向けた範囲であれば、どの位置でも構わない。また、図におけるシート部材１６の左右の範囲は、本発明を限定するものではない。
【産業上の利用可能性】
【００４２】
本発明は、特に、背上げ機能付きの介護用ベッドの背上げ時に、マットレスの所定範囲を巻回するシート部材が、使用者（被介護者等）の背部から上の部位を自動的に上方へ引き上げ、また、背下げ時に、マットレスの所定範囲を巻回するシート部材が、使用者（被介護者等）の背部から上の部位を自動的に下方へ引き下げるため、使用者（被介護者等）の背上げ時及び背下げ時の苦痛を軽減させる必要がある現場で好適に用いられる。
【符号の説明】
【００４３】
１０  マットレス
１２  腰部に対応する部位
１４  上端部
１６  シート部材
１８  エアセル
２０  外カバー
【図１】
2014226269.tif 000003
【図２】
2014226269.tif 000004
【図３】
2014226269.tif 000005